(57)【要約】【課題】簡便に組み立てることができる組立式ステージおよびジャッキ機構を提供する。【解決手段】複数の支持部材からなる台座と、この台座に架設される複数の床部材とからなる。床部材は支持部材との係合によって固定される。ボルト、ビスなどを使用しないため、組立が容易でかつ撤去も容易である。複数の部材からなるため、部材の持ち運びが容易でかつ不要時の保存スペースも小さい。台座があるため、地面に設営した場合でも湿気などを回避することができる。床部材の形状を調整することで、方形の他、円形その他の形状に組み立てることができる。床部材の上部に人工芝層を積層すると、ゴルフ練習用のグリーンとして使用することができる。【選択図】図１３
2018131841.tif 000002
【特許請求の範囲】
【請求項１】
複数の支持部材が連設された台座と、前記台座に架設される複数の床部材と、を含み、前記床部材は２以上の前記支持部材に架設される組立式ステージであって、
前記支持部材は、前記床部材の胴部を係止する第１係止部または前記床部材の端部を係止する第２係止部を有し、前記第１係止部および第２係止部は、前記支持部材の長手方向断面視、支持部材の天面と共に略コの字を形成する突出部であり、
前記床部材は、前記第１係止部の開口部と反対方向に突出する第１凸部を胴部に有し、および／または前記第２係止部の開口部と反対方向に突出する第２凸部を端部に有し、
前記第１凸部および第２凸部は、床部材の長手方向に突出するものであり、かつ第２凸部は、床部材の端部から外方向に突出する第２凸部（ｂ）、および内方向に突出する第２凸部（ａ）からなり、
前記第１係止部は前記第１凸部と係合し、前記第２係止部は、長手方向に隣接する２つの前記床部材のうち一方の端部に形成された前記第２凸部（ａ）と、他方の端部に形成された前記第２凸部（ｂ）とを重置した状態で係合するものである、組立式ステージ。
【請求項２】
少なくとも、前記第１凸部と第２凸部（ａ）とを有する床部材、および前記第１凸部と第２凸部（ｂ）とを有する床部材とを含む、請求項１記載の組立式ステージ。
【請求項３】
前記第１凸部と第２凸部（ｂ）とを有する床部材が、更に、前記第１係止部と第１凸部との係合を固定する固定部材を有することを特徴とする、請求項１または２記載の組立式ステージ。
【請求項４】
請求項１〜３のいずれか１項に記載の組立式ステージの台座の高さ調整に使用するジャッキ機構であって、
基盤と前記基盤に略直立する柱状部とからなる固定ベースと、伸張パイプとからなり、前記伸張パイプは、前記柱状部を被覆するパイプ部であって、内壁の少なくとも上部に羅条が形成され、前記羅条にはレンチ用の穴を有するネジが羅着されることを特徴とする、ジャッキ機構。
【発明の詳細な説明】
【技術分野】
【０００１】
本発明は、台座と床部材とからなり、台座に複数の床部材を係合することで簡易に組み立てることができる組立式ステージ、および前記ステージの高さを調整することができるジャッキ機構に関する。
【背景技術】
【０００２】
講演会場やホテルのディナーショー等では、仮設的なステージが利用される場合がある。また、地震、豪雨などの災害時に、テントその他の簡易施設で避難生活を過ごす場合に、簡易施設と地面との間に敷板などのステージを設けると雨水による湿度や体温低下を回避できる。
【０００３】
このようなステージとして、方形の箱状物を複数連設した構成があり、宴会施設などで使用されている。しかしながら、広いステージを作成するには多数の箱状物が必要となるため、不要時の保管が容易でない。また、省スペースに保管できるステージとして、天板と折りたたまれた脚部とからなる折り畳み式ステージがある（特許文献１）。折り畳み式ステージは簡易に設定できる利点があるが、広い面積のステージを折り畳み式で設置することは困難である。
【０００４】
一方、自在に敷板を設営できる部材として、組立式床材がある（特許文献２）。特許文献２記載の床材は、隣り合う２つの床材がベース部材によって固設されることを特徴とする。ベース部材を使用することで、温度変化など床材が収縮しても床材間の隙間や段差が生じず、組立時に締結部分に亀裂のような損傷が発生しないという。
【０００５】
また、複数相互にかみ合って結合され、目地状の部分が形成され、安定的に結束力を維持できる組立式床材もある（特許文献３）。床材の両側面と前後面のそれぞれに、隣接する床材と嵌着できる凹部と凸部とが形成されることを特徴とする。施工および維持補修も容易にできるという。
【先行技術文献】
【特許文献】
【０００６】
【特許文献１】特開平１１−１１７５５８号公報
【特許文献２】特表２００９−５３７７１３号公報
【特許文献３】特開２０１４−２００１８号公報
【発明の概要】
【発明が解決しようとする課題】
【０００７】
近年多発する地震、津波などの災害時に、集団生活に不適な被災者がテント内で寝起きする場合がある。地面とテントとの間にステージがあれば生活環境が向上するが、緊急時には簡便に設営できることが重要である。しかしながら、特許文献２や特許文献３に記載する床材は、本来、永続的に使用するものであり、離脱しない構成となっているため、設営に時間がかかり撤去も容易でない。また、ステージの形状を任意に調整できれば便利である。したがって、設営および撤去が容易な組立式ステージ、組立面積の増減と設置面積の形状を任意に選択することができ、設置面の凹凸にも対応可能な組立式ステージの開発が望まれる。
【０００８】
また、土地の有効利用という観点で、野球のオフシーズンに、野球グラウンドをゴルフ練習場に転用できれば便宜である。略円形のステージの上部に人工芝を積層すれば、ゴルフ場に模したゴルフ練習用グリーンとして使用することができる。その際、ステージにボールが入るホールを設け、ホール位置を知らせるポールを配設すれば、グラウンドを傷つけることなくゴルフの練習を行うことができる。また、オフシーズンの使用であるから、簡便に設営できかつ再利用できるように簡便に解体できることが望ましい。したがって、円形や方形など任意の形状に設営することができ、再使用可能で、ゴルフ練習用グリーンとしても使用できる、組立式ステージの開発が望まれる。
【０００９】
更に、ステージ組立後に使用により地面の一部が陥没した場合など、陥没部分の高さを調整したい場合がある。組立後にステージを解体することなく高さ調整ができれば便利である。したがって、組立後に生じる凹凸にも簡便に対応することができる組立式ステージやこのような調整が可能なジャッキ機構の開発が望まれる。
【００１０】
上記現状に鑑み、本発明は、短時間で設営および撤去することができ、かつ再使用可能な組立式ステージを提供することを目的とする。
【００１１】
また、組立式ステージの高さを簡便に調整できる、ジャッキ機構を提供することを目的とする。
【課題を解決するための手段】
【００１２】
本発明者は、台座に床部材を架設してステージを構成すれば、地面に設営した場合でも地面の湿気を遮断できること、台座や床面を複数の部材で構成すれば任意の形状に設営できかつ部材を軽量化できるため設営が容易であること、台座と床部材とを係合によって固定すれば、組立および撤去が容易で再使用も可能となること等を見出し、本発明を完成させた。上面に人工芝を積層した床部材を使用し、ステージを円形に組立てると簡易なゴルフ練習用グリーンとして使用することができる。
【００１３】
すなわち本発明は、複数の支持部材が連設された台座と、前記台座に架設される複数の床部材と、を含み、前記床部材は２以上の前記支持部材に架設される組立式ステージであって、
前記支持部材は、前記床部材の胴部を係止する第１係止部または前記床部材の端部を係止する第２係止部を有し、前記第１係止部および第２係止部は、前記支持部材の長手方向断面視、支持部材の天面と共に略コの字を形成する突出部であり、
前記床部材は、前記第１係止部の開口部と反対方向に突出する第１凸部を胴部に有し、および／または前記第２係止部の開口部と反対方向に突出する第２凸部を端部に有し、
前記第１凸部および第２凸部は、床部材の長手方向に突出するものであり、かつ第２凸部は、床部材の端部から外方向に突出する第２凸部（ｂ）、および内方向に突出する第２凸部（ａ）からなり、
前記第１係止部は前記第１凸部と係合し、前記第２係止部は、長手方向に隣接する２つの前記床部材のうち一方の端部に形成された前記第２凸部（ａ）と、他方の端部に形成された前記第２凸部（ｂ）とを重置した状態で係合するものである、組立式ステージを提供するものである。
【００１４】
また、本発明は、少なくとも、前記第１凸部と第２凸部（ａ）とを有する床部材、および前記第１凸部と第２凸部（ｂ）とを有する床部材とを含む、前記組立式ステージを提供するものである。
【００１５】
さらに、前記第１凸部と第２凸部（ｂ）とを有する床部材が、前記第１係止部と第１凸部との係合を固定する固定部材を有することを特徴とする、前記組立式ステージを提供するものである。
【００１６】
加えて本発明は、上記組立式ステージの台座の高さ調整に使用するジャッキ機構であって、
基盤と前記基盤に略直立する柱状部とからなる固定ベースと、伸張パイプとからなり、前記伸張パイプは、前記柱状部を被覆するパイプ部であって、内壁の少なくとも上部に羅条が形成され、前記羅条にはレンチ用の穴を有するネジが羅着されることを特徴とする、ジャッキ機構を提供するものである。
【発明の効果】
【００１７】
本発明によれば、台座によって設置面と床部材との間に所定の空間が形成され、台座と床部材とが係合によって固定される組立式ステージ、および組立後に高さ制御が容易なジャッキ機構が提供される。
【図面の簡単な説明】
【００１８】
【図１】本発明の実施形態に係る組立式ステージの一例である。
【図２】本発明の組立式ステージの台座と床部材の関係を説明する図であり、台座の上に複数の床部材が架設される態様を示す。
【図３】図３（Ａ）は、支持部材の第１係止部、第２係止部と床部材の第１凸部、第２凸部との係合を説明する図であり、図１のＡ−Ａ線の部分断面透視図である。図３（Ｂ）は、床部材の長手方向断面図であり、第２凸部（ａ）と第２凸部（ｂ）とを説明する図である。
【図４】図４（Ａ）は、図１のＢ−Ｂ線断面透視図であり、支持部材が長手方向横列に連結される態様を説明する図である。図４（Ｂ）は、支持部材の端部底面に形成された連結用凸部を説明する図であり、連結固定部材に連結用凸部を挿入することで支持部材が連結固定される仕組みを説明する図である。
【図５】図５（Ａ）は、連結固定部材の斜視図を使用してジャッキ機構に固定する方法を説明する図であり、図５（Ｂ）はジャッキ機構に代えて使用することのできる固定ベースの斜視図であり、図５（Ｃ）は端部に留め部を有する連設部材を説明する図である。
【図６】図６（Ａ）は、床部材を説明する図であり、複数のフラットバーを長ボルトで所定間隔に固定した格子状物に、第２凸部（ａ）と第２凸部（ｂ）とが固定される態様を説明する図である。また図６（Ｂ）は図６（Ａ）のＡ−Ａ線断面透視図である。
【図７】図７（Ａ）は、第１凸部、第２凸部（ａ）、第２凸部（ｂ）を形成する部材の斜視図である。また、図７（Ｂ）は、部材が隣接し、第２凸部（ａ）と第２凸部（ｂ）とが重置される状態を説明する図である。
【図８】２枚のフラットバーの間に、図７で示す第１凸部と第２凸部（ｂ）とを固定した状態と、床部材の第１凸部と第２凸部（ｂ）と、支持部材の第１係止部と第２係止部との関係を説明する図である。
【図９】ゴルフ練習用のグリーンとして使用する際に、人工芝層を有する床部材の好適な態様の一例を示す図である。
【図１０】図１０（Ａ）は、第１凸部と第２凸部（ｂ）とを有する床部材が、更に固定部材を含む態様を説明する図である。図１０（Ｂ）は、固定部材が配設される第１係止部を説明する図であり、図１０（Ｃ）は、固定部材による固定方法を説明する図である。
【図１１】図１１は、支持部材に配設する傾斜可能なジャッキ機構を説明する図である。
【図１２】固定ベースと伸張パイプとを含むジャッキ機構を説明する図である。図１２（Ａ）は、固定ベースの側面図、図１２（Ｂ）は、翼を有する伸張パイプの断面透視図、床部材、支持部材およびレンチの側面図であって、伸縮パイプの仕組みと支持部材との連結方法および高さ調整方法を説明する図、図１２（Ｃ）はネジの側面図である。図１２（Ｂ）に示すように、前記伸張パイプの内壁には羅条が形成され、ネジが羅着されるようになっている。前記ネジには中央にレンチ差し込み穴が形成されている。レンチを差し込んで回転するとネジが羅条に沿って上下動し、支持部材を上下に移動させることができる。
【図１３】本発明の実施形態に係る組立式ステージの一例である。人工芝を積層した床部材を略円形に敷設した組立式ステージの斜視図である。ゴルフ練習用のグリーンとして使用するため、中央部にポールとボール排除棒と、ボール排除棒を回転させる回転装置とを配設した応用例を示す。
【発明を実施するための形態】
【００１９】
以下、本発明を、図面を参照して詳細に説明する。
【００２０】
（１）組立式ステージ
図１に、本発明の組立式ステージ100の一態様を示す。台座10を構成する支持部材20の上に符号４０（ａ）、４０（ｂ）、４０（ｃ）で示される床部材40が隙間なく架設され、略方形のステージとなっている。図２に示すように、台座10は、符号２０（ａ）や２０（ｂ）で示される複数の棒状の支持部材20が平面状に連設されたものである。なお、図２では、支持部材20の下部に、ジャッキ機構27が配設される態様を示すが、組立式ステージ100に傾斜を設けない場合や、グラウンドや野球場等の平坦地での設置にはジャッキ機構27はなくてもよい。また、図２では、支持部材20や、支持部材20の下部のジャッキ機構27が連設部材30を介して連設する態様を示す。支持部材20は、台座10の上部に架設した床部材40を係止するための第１係止部23または第２係止部25を有する。第１係止部23を有するものを支持部材（ａ）20(a)とし、第２係止部25を有するものを支持部材（ｂ）20(b)とする。台座10は、支持部材（ａ）20(a)の列および支持部材（ｂ）20(b)の列が平行して配設される。各床部材40は、２本の支持部材20に架設され、床部材40の胴部または端部で支持部材20の第１係止部23または第２係止部25と係合される。
【００２１】
組立式ステージ100は、複数の支持部材20および床部材40で構成されるため、組立および撤去を容易に行うことができる。また、複数の部材を使用することで、ステージを任意のサイズに組立てることができ、部材数を増やすだけで容易に大型化することができる。方形に組み立てる組立式ステージ100の場合、配置を変えるだけでＬ型、Ｈ型、Ｅ型なども容易に組み立てることができる。円形、卵型などを含む楕円形、三角その他の不定形等は、組立式ステージ100周辺に位置する床部材40の平面形状とこれに関連する床部材40の形状を適宜、調整すればよい。いずれの形状であっても、床部材40の下部に台座10があるため、設置面が地面などの湿度を有する場合でも、湿気が直接床部材40に伝播することがない。野球場や河川敷などの地面の上部に人工芝が積層されたステージを設営すれば、自然環境下で簡易なゴルフ練習用のグリーンとすることができる。更に、舞台、演説台、仮設避難所や災害時の屋外の床面などとして使用することができる。組立式ステージ100は、組立時にボルト、ビス、ナットなどを使用しないため、組立、解体、再利用を容易に行うことができ、これらに要する時間は従来の方法に比べて大幅に短縮することができる。便宜のため、以下、図１の略方形の組立式ステージ100の場合でより詳細に説明する。
【００２２】
（２）台座
台座10は、複数の支持部材20を平面状に連設したものである。支持部材20は、床部材40の胴部または端部を架設する構造材である。各床部材40は、２本の支持部材20で架設され、かつ長手方向に隣接する２枚の床部材40の２つの端部は共通の支持部材20に係合される。このため床部材40に比して少ない数の支持部材20で台座10を構成することができる。使用する支持部材20や床部材40などの数や形状は、組立式ステージ100のサイズや形状、各部材の持ち運びの簡便さ等に合わせて適宜設定することができる。なお、台座10は略平面状であれば水平に限定されず、傾斜するものでもよい。
【００２３】
（３）連設部材
台座10を構成する複数の支持部材20は、連設部材30によって連設することができる。連設部材30は、長尺部材で構成され、支持部材20に簡便に脱着することができる。台座10を組み立てる際に連設部材30を介在することで、支持部材20の位置決めを容易に行うことができる。また、ジャッキ機構27を有する場合は、ジャッキ機構27を直立に維持することができる。このような連設部材30として、図５（Ｃ）に示す端部に球状や鉤状の留め部31を有するスジカイなどがある。支持部材20側にスジカイ固定部21を形成すれば、留め部31と支持部材20のスジカイ固定部21とによって複数の支持部材20を連設することができる。図３（Ａ）に示すように、支持部材20の端部床面に図５（Ａ）に示す連結固定部材28を一体に配設してジャッキ機構27を装着する場合は、連結固定部材28の外周に形成した翼28"に貫通孔ohを形成してスジカイ固定部21として使用し、支持部材20間を連設してもよい。連結固定部材28については後記するが、翼28”に形成した貫通孔ohをスジカイ固定部21として使用すると、支持部材20間の連設のみならず、支持部材20の垂直倒立を安定させることができる。また、図示しないが、支持部材20に貫通孔ohを形成してスジカイ固定部21として使用してもよい。図１１に示すように、ジャッキ機構27のジャッキベースなどにスジカイ固定部21を形成してもよい。１つのスジカイ固定部21に、２以上の連設部材30を連設して支持部材20間を連設してもよい。連設部材30は、アルミ、鉄、合金などの金属製であってもよく、ポリエチレン、ポリプロピレンなどの合成樹脂製や、ＦＲＰなどの繊維強化プラスチックであってもよい。
【００２４】
（４）支持部材
支持部材20は、床部材40を架設しおよび固定するために使用される長尺の板状物である。図３（Ａ）に図１のＡ−Ａ線の部分断面透視図を示す。長尺板状物の少なくとも床部材40を架設する天面に、床部材40の胴部にある第１凸部43と係合する第１係止部23、または床部材40の端部の第２凸部(ａ)45(a)と第２凸部（ｂ）45(b)とを重置した状態で係止する第２係止部25を有する。第１係止部23および第２係止部25とは、いずれも支持部材20の長手方向断面視、支持部材20の天面と共に略コの字を形成する突出部である。ただし、第１係止部23と第２係止部25とは、支持部材20の天面からの高さが異なる。第１係止部23は、第１凸部43を挿入しおよび係止するに適した開口に、第２係止部25は、第２凸部(ａ)45(a)と第２凸部（ｂ）45(b)とを重置した状態で係止するに適した開口に調製されているからである。第１係止部23を有する支持部材（ａ）20(a)と、第２係止部25を有する支持部材（ｂ）20(b)とを用いて台座10を組み立てる際、第１係止部23および第２係止部25の開口がいずれも同じ方向となるように各部材が配設される。図２では、図面左下から右上に向かって各３本の支持部材（ａ）20(a)、支持部材（ｂ）20(b)、支持部材（ｂ）20(b)および支持部材（ａ）20(a)からなる列が平行に配置され、かつ略コの字の開口がいずれも図面右上方向に開口している。なお、第１係止部23や第２係止部25は、支持部材20の全長に亘って形成されてもよいが、図２に示すように、床部材40の第１凸部43や第２凸部45に対応する位置にのみ形成してもよい。
【００２５】
支持部材20を構成する長尺板状物は、強度を確保するため、下部にラチス構造やトラス構造を有するものであってもよい。図１のＢ−Ｂ線断面透視図の一部を図４（Ａ）に示す。支持部材20として、第２係止部25を有する長尺板状物の下部にラチス構造が形成されている。トラス構造は、ワーレントラス、プラットトラス、ハウトラス、その他であってもよい。その他、長尺の板状物の下部に、幅断面視Ｔ字型となるような脚部を形成して強度を確保するものであってもよい。
【００２６】
支持部材20は、天面に第１係止部23および／または第２係止部25を有するほか、支持部材20を長手方向に連結固定するための連結固定機構を有していてもよい。例えば、図４（Ｂ）に示すように、支持部材20を構成する長尺板状物の両端に、垂下する連結用凸部29を一体に形成してもよく、連結用凸部29に代えて連結固定部材28を一体に形成してもよい。また、一端に連結用凸部29を、他端に連結固定部材28を一体に形成してもよい。支持部材20の下部に、高さ調整のためのジャッキ機構27を配設する場合は、連結固定部材28がジャッキ機構取付け部を有するものであってもよい。
【００２７】
支持部材20の材質は、アルミ、鉄、合金などの金属製であってもよく、ポリエチレン、ポリプロピレンなどの合成樹脂製や、ＦＲＰなどの繊維強化プラスチック、これらの複合体であってもよい。支持部材20に形成された第１係止部23および第２係止部25の突出の長さは、床部材40を係合によって固定できる範囲で適宜選択することができる。また、支持部材20の設置面からの高さは任意であり、台座10に使用する支持部材20の各列の高さは同一でも異なっていてもよい。例えば、支持部材20の各列が一定方向に増加するように支持部材20の高さを調整して台座10を組み立てると、組立後の組立式ステージ100に傾斜を設けることができる。
【００２８】
（５）床部材の凸部
床部材40は台座10に架設する板状物であり、胴部に形成された第１凸部43、および／または端部に形成された第２凸部45を有する。第１凸部43と第２凸部45とは、床部材40の長手方向に突出する。床部材40の端部に形成される第２凸部45には、床部材40の端部から外方向に突出する第２凸部（ｂ）45(b)と、内方向に突出する第２凸部（ａ）45(a)とがある。図３（Ｂ）に床部材40の長手方向縦断面透視図を示す。図３（Ｂ）の図面向かって左側の端部は、第２凸部（ｂ）45(b)が床部材40の端部から外方向に突出し、向かって右側の端部の第２凸部（ａ）45(a)は床部材40の端部から内方向に突出している。第２凸部（ａ）45(a)と第２凸部（ｂ）45(b)とは、床部材40の天面からの深さが異なり、天面からの深さは第２凸部（ａ）45(a)＜第２凸部（ｂ）45(b)であり、第２凸部（ｂ）45(b)がより底面側にある。したがって、第２係止部25に床部材40の端部の第２凸部（ａ）45(a)を挿入した後に、その下部に長手方向に隣接する他の床部材40の端部の第２凸部（ｂ）45(b)を挿嵌することができる。なお、第１凸部43が形成される床部材40の「胴部」とは、長手方向、床部材40の端部と端部との間の任意の位置を意味し、第１凸部43は、床部材40の端面から突出しない。
【００２９】
床部材40は、上記３種の凸部のうちいずれか２種を有し、以下の３種に区分される。
(i)第１凸部43と第２凸部（ａ）45(a)とを有する床部材（ａ）40(a)、
(ii)第２凸部（ａ）45(a)と第２凸部（ｂ）45(b)とを有する床部材（ｂ）40(b)、および
(iii)第１凸部43と第２凸部（ｂ）45(b)とを有する床部材（ｃ）40(c)である。
図３（Ｂ）に示す床部材40は、第２凸部（ａ）45(a)と第２凸部（ｂ）45(b)とを有する床部材（ｂ）40(b)である。なお、図３（Ａ）では、第１凸部43と第２凸部（ｂ）45(b)とは床部材40の天面からの深さが同じであるが、これに限定されるものではない。第１凸部43は第１係止部23と係合し、第２凸部（ｂ）45(b)は第２凸部（ａ）45(a)と共に第２係止部25と係合して床部材40を固定できればよい。
【００３０】
床部材（ａ）40(a)は、支持部材（ａ）20(a)と支持部材（ｂ）20(b)との２本に架設され、床部材（ｂ）40(b)は２本の支持部材（ｂ）20(b)に、床部材（ｃ）40(c)は支持部材（ａ）20(a)と支持部材（ｂ）20(b)とに架設され、および係合によって固定される。なお、図３（Ａ）に示す支持部材20は、底面に連結固定部材28が一体に形成され、かつ連結固定部材28の下部にナットハンドル27'を有するジャッキ機構27が配設される態様を示す。ジャッキ機構27を説明するため、一部のジャッキ機構27について、ナットハンドル27'を断面図で示し、ナットハンドル27'が羅着される羅条部分を側面図で示した。
【００３１】
（６）支持部材と床部材との係合
本発明では、第１係止部23と第１凸部43とが、および第２係止部25と第２凸部45とが係合し、台座10に床部材40が固定される。図３（Ａ）に示すように、支持部材（ｂ）20(b)の上部には、長手方向に隣接する床部材（ａ）40(a)と床部材（ｂ）40(b)の端部、または床部材（ｂ）40(b)と床部材（ｃ）40(c)の端部が載置される。第２係止部25の開口部に床部材（ｂ）40(b)の第２凸部（ａ）45(a)を挿入し、次いで第２凸部（ａ）45(a)の下部に床部材（ｃ）40(c)の第２凸部（ｂ）45(b)を挿嵌すると、床部材４０（ｂ）40(b)の第２凸部（ａ）45(a)と床部材（ｃ）40(c)の第２凸部（ｂ）45(b)とが重なり、重なった状態で第２係止部25と係合する。床部材（ｂ）40(b)の第２凸部（ａ）45(a)と床部材(ｃ)40(c)の第２凸部（ｂ）45(b)も同様である。長手方向に隣接する床部材40の第２凸部(ａ)45(a)の下部に第２凸部(ｂ)45(ｂ)を挿嵌すれば、隣接する床部材40の端面同士が接触し、平面状の組立式ステージ100を組み立てることができる。
【００３２】
（７）支持部材の連結固定部材
図４（Ａ）は、図１のＢ−Ｂ線断面透視図の一部である。便宜のため、床部材40の記載を省略した。支持部材（ｂ）20(ｂ)が長手方向に連結し、各支持部材（ａ）20(a)には２つの第２係止部25が形成され、２枚の床部材40を架設および係合することができる。支持部材20の底面には、連結固定部材28にジャッキ機構27が装着されている。連結固定部材28は、支持部材20とジャッキ機構27とを連結する部材である。支持部材20に固定する前の連結固定部材28の斜視図と、ジャッキ機構27に装着する方法を図５（Ａ）に、ジャッキ機構27に代えて使用することのできる固定ベースを図５（Ｂ）に示す。連結固定部材28は、ジャッキ機構27を装着する挿入部28’として機能するパイプ状物26の外周に、連結用凸部29を挿入するための挿入部29’を直線状に２つ形成し、かつ貫通孔ohを有する翼28”を上下に形成したものである。なお、パイプ状物26の上端は、蓋部26’で閉鎖され、または支持部材20の端部底面に直接に垂下される場合は、当該底面を蓋部として閉鎖される。図４（Ｂ）に示すように、支持部材（ｂ）20(ｂ)を構成する長尺板状物の端部底面に連結固定部材28を一体に形成し、挿入部29’に、他の支持部材（ｂ）20(ｂ)の連結用凸部29を挿入すると、２本の支持部材20を連結固定部材28を介して連結固定することができる。なお、ジャッキ機構27に代えて図５（Ｂ）に示す固定ベースを使用する場合は、パイプ状物26の挿入部28’に固定ベースを挿入する。上記は支持部材（ｂ）20(ｂ)で説明したが、支持部材（ａ）20(a)も同様である。組立式ステージ100の端部であって更に連結する支持部材20が不要の場合は、不要分の挿入部29’がないパイプ状物26で構成した連結固定部材28を使用する。なお、上記した連結固定機構は一例であり、これに限定されるものではない。なお、台座10を構成する支持部材20の各列は、それぞれ１本の連続した支持部材20で組み立てる場合は、挿入部29’を有する連結固定部材28は不要である。
【００３３】
（８）床部材の構成
床部材40は組立式ステージ100の構成部材であり、用途に応じた強度が確保される一方、作業の容易さから組立者が取り扱える重量であることが好ましい。木材やＦＲＰなどによる一枚ものであってもよいが、複数の部材を組み合わせて軽量化と強度向上とを備えるものが好ましい。そのような一例を図６に示す。図６（Ａ）は、複数のフラットバー41を所定間隔に長ボルト42で固定した格子状物47の平面図であり、図６（Ｂ）は、図６（Ａ）のＡ−Ａ線断面透視図である。例えば、フラットバー41は、木、合成樹脂、金属、またはこれらの複合体で構成される。フラットバー41とフラットバー41との間隙を所定の幅に維持するため、フラットバー41間に所定長さのパイプ42aを設け、このパイプ42aに長ボルト42を貫通させ、長ボルト42の端部をナット42b等で固定して、格子状物47とすることができる。この天面にステージ用板状物（図示せず）を固定すれば、床部材40として使用することができる。
【００３４】
図６（Ａ）は、第２凸部（ａ）45(a)と第２凸部（ｂ）45(b)とを有する床部材（ｂ）40(b)を構成する格子状物47の平面図である。図６（Ｂ）の側面図に示すように、第２凸部（ａ）45(a)と第２凸部（ｂ）45(b)とは格子状物47の長手方向に対して同じ方向に突出し、かつ第２凸部（ｂ）45(b)は格子状物47の端部より外方向に突出して固定されている。これら凸部は、木、合成樹脂、金属、またはこれらの複合体で構成される第２凸部（ａ）45(a)、または第２凸部（ｂ）45(b)を有する部材を、ボルト、ビス、その他の固定部材によって格子状物47の中央２枚のフラットバー41の間に取り付けられたものである。第１凸部43も同様である。第２凸部（ａ）45(a)と第２凸部（ｂ）45(b)とは、図６（Ｂ）に示すように格子状物47の天面からの深さが異なり、第２凸部（ａ）45(a)と格子状物47の底部との間には、第２凸部（ｂ）45(b)を挿嵌できる空隙がある。なお、図６（Ａ）では、床部材40を構成する中央のフラットバー41の間に第２凸部（ａ）45(a)と第２凸部（ｂ）45(b)とを１組設ける態様を示すが、中央に限定されるものではない。例えば、幅方向の両端に１組づつ設けてもよい。第１凸部43も同様である。
【００３５】
２枚のフラットバー41の間に第１凸部43、第２凸部（ａ）45(a)、第２凸部（ｂ）45(b)を形成するための部材の一例を図７（Ａ）に示す。いずれも凸部（第１凸部43、第２凸部（ａ）45(a)、第２凸部（ｂ）45(b)）と、前記凸部と一体に連設する固定部（43'、45(a)'、45(b)'）とからなる。これら固定部にはビスやボルトで締結するための貫通孔（oh）が形成され、貫通孔（ｏｈ）を介して２枚のフラットバー41間にボルトやナットその他の固定具で固設すれば、フラットバー41の任意の位置に第１凸部43、第２凸部（ａ）45(a)、または第２凸部（ｂ）45(b)を形成することができる。図７（Ｂ）に、第２凸部（ａ）45(a)を有する部材と、第２凸部（ｂ）45(b)を有する部材とを隣接させた場合の斜視図を示す。第２凸部（ａ）45(a)と第２凸部（ｂ）45(b)とが重なることがわかる。
【００３６】
図８に、第１凸部43と第２凸部（ｂ）45(b)とが固定された２枚のフラットバー41の部分斜視図と、支持部材20の部分斜視図とを示す。間隔ｗ１で固定された２枚のフラットバー41の端部に、第２凸部（ｂ）45(b)が端部から突出するように固定されている。第２凸部（ｂ）45(b)の幅ｗ２は、ｗ２≦ｗ１である。また、支持部材（ｂ）20(b)の第２係止部25の幅ｗ３は、ｗ３≦ｗ１であり、ｗ３とｗ１とは略等しいことが好ましい。これにより、第２係止部25が２枚のフラットバー41の間で横移動するのを回避することができる。第１係止部23の横幅ｗ４も同様にｗ４≦ｗ１であり、ｗ４とｗ１とが略等しければ、第１係止部23が２枚のフラットバー41の間で横移動するのを回避することができる。すなわち、２枚のフラットバー41の間で第１係止部23と第１凸部43とが係合し、および第２係止部25と第２凸部45とが係合するため、床部材40の台座10の上での横移動を防止することができる。なお、上記は同寸、複数のフラットバー41で構成される格子状物47の２枚のフラットバー41の間に、第１凸部43、第２凸部（ａ）45(a)、第２凸部（ｂ）45(b)が固定される場合である。フラットバー41の形状や数、第１凸部43、第２凸部（ａ）45(a)、第２凸部（ｂ）45(b)を有する部材の形状、固定方法、取り付け場所、その他によって、適宜変更することができる。
【００３７】
床部材40の天面は、ステージの使用目的に応じて適宜選択することができる。例えば、ベニヤ板などの木製であってもよく、鉄、アルミニウム、ＳＵＳなどの金属、塩化ビニール、ＦＲＰやポリプロピレンその他の合成樹脂板や合成樹脂シート状物であってもよい。また、単層に限定されず、多層構造であって最上部に人工芝を積層した芝パネルであってもよい。ゴルフ練習用グリーンに適する芝パネルの態様を図９に示す。格子状物47の天面に布、紙などからなる下地部材（ａ）47(a)を積層し、スポンジ、不織布、単ボール、発泡スチロールなどからなる第１弾性部材47(b)、ゴム板などからなる第２弾性部材47(c)、次いで人工芝47(d)を順次積層したものである。各層は、接着剤によって接着固定される。このような芝パネルでステージを組み立てると、庭等に設置される木材で作られたウッドデッキに代わる人工芝デッキとして使用でき、これを円形に組み立てると簡易なゴルフ練習用グリーンとして使用することができる。
【００３８】
（９）係合固定部材
床部材40は、第１係止部23と第１凸部43との係合を固定する固定部材を有していてもよい。図１０（Ａ）に、図３（Ａ）の床部材（ｃ）40(c)に、第１凸部43と第１係止部23との係合を固定するための固定部材48が配設された態様の、長手方向縦断面透視図を示す。床部材（ｃ）40(c)は、第１凸部43と第１係止部23との係合によって天面方向への移動が防止されるが、図面向かって右側へ移動することは可能である。そこで、床部材40の長手方向への移動を防止するために固定部材48を使用する。床部材（ｃ）40(c)の移動が防止されると隣接する床部材（ｂ）40(b)の移動が防止され、床部材（ｂ）40(b)の移動が防止されると隣接する床部材（ａ）40(a)の移動が防止される。図１０（Ａ）に示す固定部材48は、円柱状の軸48(b)の両端に略直角にハンドル48(a)とフック48(c)とが固設されたものであり、軸48(b)の円柱を回転中心としてハンドル48(a)とフック48(c)とが同じ角度で固定されている。第１係止部23と第１凸部43との係合部の両端をハンドル48(a)とフック48(c)とによって挟むことで、床部材（ｃ）40(c)の長手方向への移動が防止される。
【００３９】
図１０（Ｂ）に、第１凸部43を有する部材に固定部材48を取り付けた態様の斜視図を示す。第１凸部43の固定部43'の背面に形成された貫通孔に、フック48(c)を端部に有する軸48(b)を、フック48(c)が第１凸部43と同じ側になるように貫通する。次いで軸48(b)の他端部にハンドル48(a)をネジその他で固定する。この際、軸48(b)の中心軸を回転中心としてフック48(c)と同じ角度になるようにハンドル48(a)が固定されることが好ましい。軸48(b)の両端のハンドル48(a)とフック48(c)とが共に床部材40の底面または天面など同方向を向くため、フック48(c)で係合部を固定した後に、ハンドル48(a)の自重による回転を回避することができる。なお、軸48(b)、ハンドル48(a)、フック48(c)の長さや形状は、第１係止部23と第１凸部43との係合を固定できることを条件に、適宜選択することができる。
【００４０】
図１０（Ｃ）に、図１０（Ａ）の部分拡大図を用い、図１０（Ｂ）に示す固定部材48による固定方法を示す。（ｉ）まず、フック48(c)の先端が床部材（ｃ）40(c)の天面を向くようにハンドル48(a)を回転させる。（ｉｉ）この状態を維持したまま、床部材（ｃ）40(c)を床部材（ｂ）40(b)側に移動すると、フック48(c)の先端が床部材40の天面を向き、かつ第１係止部23と第１凸部43とが係合した状態となる。ついで、（ｉｉｉ）ハンドル48(a)を回転してフック48(c)の先端が床部材40の底面に向くようにする。これにより、第１凸部43と第１係止部23との係合部の両端がハンドル48(a)とフック48(c)とに挟持され、床部材40の長手方向への移動が防止される。以上は、床部材（ｃ）40(c)に固定部材48を取り付けた場合で説明したが、これに限定されない。組立時、床部材（ｃ）40(c)の長手方向への移動を防止するいずれの機構であってもよい。
【００４１】
（１０）傾斜用ジャッキ機構
ジャッキ機構27は台座10の高さを調整するために使用されるが、組立式ステージ100を床部材40の長手方向に傾斜させるには、傾斜用ジャッキ機構27が使用される。傾斜用ジャッキ機構27は、例えば図５（Ａ）に示すパイプ状物26を傾斜可能に構成したものである。傾斜用ジャッキ機構27の一例の横側面図を図１１に示す。図１１では、図５に示すパイプ状物26が、パイプ上部26aとパイプ下部26ｂとに２分され、その間に回転部材27aが装着されている。回転部材27aは、パイプ上部26aに挿入される回転用部材27a1と、パイプ下部26bに挿入されかつ回転用部材27a1を固定できる回転用部材27a2と、回転用部材27a1と回転用部材27a2とを枢支する回転軸27a3とを含む。更に、パイプ上部26aには突出部26a'が、パイプ下部26ｂには突出部26b'が形成され、突出部26a'と突出部26b'との間には角度調節座金27bが配備されている。パイプ上部26aとパイプ下部26bとの間に回転用部材27a1を装着すると、回転軸27a3を中心にパイプ上部26aが回転する。パイプ上部26aとパイプ下部26ｂとの角度は任意に設定でき、角度調節座金27bによって所望の角度に固定することができる。
【００４２】
図１１では、更に、ジャッキ機構27のジャッキベースの角部が略垂直に立ち上がり、かつ角部に切れ込みが形成されスジカイ固定部21として機能する態様を示す。図５（Ｃ）に示す連設部材30の留め部31を前記切れ込みに挿入し、他端を他のスジカイ固定部21に連設すると、複数の支持部材20を連設することができる。
【００４３】
（１１）ネジ付きジャッキ機構
台座10の組立中であれば、ジャッキ機構27のナットハンドル27’を回転させることで容易に支持部材20の高さを調整することができる。床部材40が無いため、台座10の下部にあるナットハンドル27’の使用が容易だからである。一方、地盤の耐力のバラツキや雨水による軟弱化、および経年変化等によって組立式ステージ100の一部が陥没する場合がある。この場合、組立式ステージ100の床高が低くて作業員が床下に潜ることができない場合は、ナットハンドル27’の回転によって高さ調整を行うことができず、床部材40や台座10の解体が余儀なくされる。そこで、解体せずに高さ調整が容易なジャッキ機構の提案が望まれる。ネジ付きジャッキ機構は、このような要望に沿うものである。
【００４４】
ネジ付きジャッキ機構は、基盤111と基盤111に略直立する柱状部113とからなる固定ベース110と、伸張パイプ120とからなる。伸張パイプ120は、柱状部113を被覆するパイプ部121であって、内壁の少なくとも上部に羅条123が形成され、かつ羅条123にはレンチ用の穴129’を有するネジ129が羅着される。図１２（Ａ）は、固定ベース110の側面図である。柱状部113の外径は、内壁に羅条123を有するパイプ部121の内径より短径であり、柱状部113の頂部には、より短径の凸部115が形成され、凸部115の上部には、樹脂座金117が載置される。
【００４５】
伸張パイプ120は、図１２（Ｂ）に示すように、パイプ部121の上端に蓋部125を有し、蓋部125は、レンチを差し込むための貫通孔125’で開口された構造となっている。蓋部125の下部には、更に、レンチを差し込むための貫通孔127’が形成された樹脂座金127が装着される。更に、樹脂座金127の下部には、レンチ用の穴129’が形成されたネジ129が羅条123を介して羅着される。蓋部125の貫通孔125’、樹脂座金127の貫通孔127’を貫通してレンチ用の穴129’にレンチとして六角レンチ130を差し込み、回転することでネジ129を回転させる。このため、蓋部125の貫通孔125’、樹脂座金127の貫通孔127’およびレンチ用の穴129’のサイズや形状は、上記目的に適したものとする。
【００４６】
伸張パイプ120は、下部からネジ129、樹脂座金127、固定ベース110の柱状部113を挿入できる構造となっている。挿入されたネジ129は、内壁に形成された羅条123に羅着されるため、ネジ129と羅条123の羅条は相互に羅着可能な形状およびサイズに調製されている。伸張パイプ120に固定ベース110を挿入すると、上部から下部に向かって蓋125、樹脂座金127、ネジ129、樹脂座金117、凸部115を有する柱状部113の順に配置される。蓋部125の貫通孔125’からレンチ130を挿入してネジ129を回転して羅条123を下方に移動させると、蓋部125とネジ129との間隔が増加し、伸張パイプ120は固定ベース110に対して相対的に上方に移動する。なお、図１２（Ｃ）は、ネジ129の側面図である。ネジ129の長さは上記目的に則したものであれば、特に制限はない。
【００４７】
図１２（Ｂ）では、パイプ部121に、更に図５（Ａ）に示す翼28”と、連結用凸部29を挿入するための挿入部29’とを備える伸張パイプ120の態様を示す。翼28”と挿入部29’とを備えることで、支持部材20を相互に連結固定し、ジャッキ機構27が略垂直に倒立するのを確保することができる。このような伸張パイプ120は、図５（Ａ）に示す連結固定部材28のパイプ状物26の内壁に羅条123を形成し、蓋部26’にレンチ用の穴129’を設けて調製することができる。また、図５（Ａ）に示す連結固定部材28を構成するパイプ状物26の内壁に羅条付きパイプを嵌挿して固着して一体化してもよい。パイプ部121に羅条付きパイプを嵌挿すると、伸張パイプ120の羅条123の部分の内径が、パイプ部121の他の部分より狭くなる。このような場合、柱状部113の頂部により短径の凸部115を設けると、羅条123を有する内壁部に挿入できるため、伸張パイプ120と柱状部113との安定性が向上する。
【００４８】
また、樹脂座金117や樹脂座金127の材質は、ポリプロピレン、シリコーン、ポリアミド、ポリアセタール、ポリ四フッ化エチレンなどのフッソ化プラスチック、高分子量高密度ポリエチレンなどの摺動性樹脂であることが好ましい。ネジ129の回転の際の摩擦を回避するためである。
【００４９】
ネジ付きジャッキ機構を構成する伸張パイプ120は、支持部材20の底面に固定される。例えば、伸張パイプ120の蓋部125を支持部材20の長尺板状物の底面に固定する。支持部材20と伸張パイプ120が溶接可能な素材である場合には、溶接によって一体に成形することができる。その際、蓋部125の貫通孔125’が確保されるように固定する。または、支持部材20の長尺板状物に貫通孔125’に対応する貫通孔を形成すればよい。
【００５０】
この支持部材20を使用して台座10を組み立てる際は、貫通孔125’の上部に載置される床部材40は、貫通孔125’を塞ぐことが無いように、隅切りや対応する貫通孔を形成しておく。図１２（Ｂ）に、このような貫通孔として、床部材40の端部に半円の切欠きを形成した態様を示す。組み立てられた組立式ステージ100は、貫通孔125’を目視することができる。経年使用等により一部の組立式ステージ100が陥没した場合、近傍の貫通孔125’から六角レンチ130を挿入してレンチ用の穴129’を介してネジ129を回転させる。樹脂座金117と樹脂座金127とに挟まれたネジ129は、羅条123に沿う回転により上下動する。ネジ129が羅条123を下方に移動すると、対応して固定ベース110が下方に移動し、相対的に支持部材20並びに床部材40が上方に移動する。組立式ステージ100の一部が盛り上がった場合は、ネジ129を回転して羅条123の上方に移動させ、相対的に床部材40を下方に移動させる。この方法であれば、床部材40や支持部材20を解体することなく組立式ステージ100の一部の高さを調整することができる。
【００５１】
（１２）組立および解体方法
図１に示す略方形の組立式ステージ100は、６本の支持部材（ａ）20(a)、６本の支持部材（ｂ）20(b)、連設部材30、および各６枚の床部材（ａ）40(a)、床部材（ｂ）40(b)、床部材（ｃ）40(c)とで構成され、床部材（ｃ）40(c)には、図１０（Ｂ）に示す固定部材48が配設されている。
【００５２】
予め、支持部材20の第１係止部23および第２係止部25の開口部の方向が全て同じ方向に向くように揃えておく。床部材40も、第１凸部43、第２凸部（ａ）45(a)の突出方向が同じ方向に向くように揃えておく。床部材40は、長手方向に、床部材（ａ）40(a)、床部材（ｂ）40(b)、床部材（ｃ）40(c)の順に架設するため、架設順に重ねておくことが好ましい。
【００５３】
図２に示すように、支持部材（ａ）20(a)を３本長手方向に連結した一列を形成し、適宜、連設部材30で位置決めしながら、前記列と平行に支持部材（ｂ）20(b)を３本長手方向に連結した列を２列形成し、更に、前記列と平行に支持部材（ａ）20(a)を３本長手方向に連結した１列を形成し、台座10を組み立てる。平行に配置した支持部材20の間隔は、床部材40の第１凸部43や第２凸部45の位置に応じて適宜調整する。予め長さや配置場所が定められた連結部材30を正しく取り付けることで、支持部材20の間隔を容易に決定することができる。
【００５４】
台座10は、水平地面での標準床高を基準とし、高さの変動に対してはジャッキ機構27および連結固定部材28の高さで対処する。
【００５５】
次いで、床部材（ａ）40(a)を台座10の支持部材（ａ）20(a)と支持部材（ｂ）20(b)との上部に架設する。その際、床部材（ａ）40(a)の第１凸部43の突出方向が、支持部材（ａ）20(a)の第１係止部23の開口部と反対方向に突出するように架設する。支持部材（ａ）20(a)の第１係止部23の近傍に第１凸部43が、隣接する支持部材（ｂ）20(b)の第２係止部25の近傍に第２凸部（ａ）45(a)がくる。この床部材（ａ）40(a)を長手方向に移動して第１係止部23の開口部に第１凸部43を、第２係止部25の開口部に第２凸部（ａ）45(a)を挿入する。これにより、第１係止部23と第１凸部43とが、第２係止部25と第２凸部（ａ）45(a)とがそれぞれ係合する。
【００５６】
次いで、床部材（ａ）40(a)の長手方向に隣接するように、支持部材（ｂ）20(b)と支持部材（ｂ）20(b)との上部に床部材（ｂ）40(b)を架設する。その際、第２凸部（ｂ）45(b)の突出方向が、第２係止部25の開口部と反対方向に突出するよう配置する。床部材（ｂ）40(b)を長手方向に移動して床部材（ａ）40(a)に接触させると、床部材（ａ）40(a)の第２凸部（ａ）45(a)の下部に床部材（ｂ）40(b)の第２凸部（ｂ）45(b)が挿嵌され、第２凸部（ａ）45(a)と第２凸部（ｂ）45(b)とが重なって第２係止部25と係合し、同時に支持部材（ｂ）20(b)の第２係止部（ｂ）25(b)と床部材（ｂ）40(b)の第２凸部（ａ）45(a)とが係合する。
【００５７】
次いで、床部材（ｂ）40(b)の長手方向に隣接するように、支持部材（ｂ）20(b)と支持部材（ａ）20(a)との上部に床部材（ｃ）40(c)を仮置きする。この際、床部材（ｃ）40(c)の第２凸部（ｂ）45(b)の突出が、第２係止部25の開口部と反対方向に突出するよう配置する。次いで、床部材（ｃ）40(c)に配設された固定部材48のハンドル48(a)を操作してフック48(c)の先端を床部材（ｃ）40(c)の天面方向に回転させる。床部材（ｃ）40(c)を長手方向に移動してその端部を床部材（ｂ）40(b)の端部に接触させると、床部材（ｂ）40(b)の第２凸部（ａ）45(a)の下部に床部材（ｃ）40(c)の第２凸部（ｂ）45(b)が挿嵌され、第２凸部（ａ）45(a)と第２凸部（ｂ）45(b)とが重なって第２係止部25と係合し、同時に支持部材（ａ）20(a)の第１係止部23と床部材（ｃ）40(c)の第１凸部43とが係合する。その後、ハンドル48(a)を操作してフック48(c)の先端が床部材40の底面を向くように回転し、第１係止部23と第１凸部43との係合部を固定する。
【００５８】
組み立ての際は、床部材（ａ）40(a)→床部材（ｂ）40(b)→床部材（ｃ）40(c)の順に架設するが、床部材40の長手方向の各列においてこの順であればよい。従って、全ての床部材（ａ）40(a)を架設および係合した後に、全ての床部材（ｂ）40(b)を架設および係合し、次いで、全ての床部材（ｃ）40(c)を架設および係合する場合に限らない。上記順番によれば、隣接する床部材40の端部の第２凸部（ａ）45(a)と第２係止部（ｂ）45(b)との重置および第２係止部25との係合を容易に行うことができる。
【００５９】
本発明の組立式ステージ100は、１枚の床部材40が２カ所で支持部材20と係合し、かつ長手方向に隣接する床部材40の端部の第２凸部45は相互に重置して支持部材20の第２係止部25と係合するため、組立式ステージ100の任意の位置に荷重を負荷しても床部材40の端部が持ち上がることが無い。特に、最後に支持部材20と係合させた床部材（ｃ）40(c)の長手方向の移動を防止すれば、何れの床部材40も長手方向に移動することがなく、組立式ステージ100は安定する。
【００６０】
解体は、上記と逆に操作すればよい。床部材（ｃ）40(c)のハンドル48(a)を回転してフック48(c)の先端が床部材（ｃ）40(c)の天面を向くように操作すると、床部材（ｃ）40(c)を長手方向に引抜くことができる。次いで、隣接する床部材（ｂ）40(b)、床部材（ａ）40(a)を順次引抜いてゆく。
【００６１】
（１３）応用
略方形の組立式ステージ100以外に、傾斜を有する略円形の組立式ステージ100を組み立てることもできる。また、床部材40として、天面に人工芝を積層したものを使用してもよい。図１３に、図面左下から右上に向かって高く傾斜する略円形の組立式ステージ100を示す。天面に人工芝が積層され、中央にポール90が立設されおよび回転によってボールを組立式ステージ100上から排除するボール排除棒93が回転装置95と共に配設され、ゴルフ練習用グリーンとして使用する態様である。図面左下から右上に向かって高くなるように台座10を組み立てるには、予め高さの異なる支持部材20を使用し、または傾斜用ジャッキ機構27を配設して台座10の高さおよび傾斜を確保する。組立方法は、図１の略方形の組立式ステージ100に準ずるが、組立前に、床部材40の形状等を考慮して床部材40を架設する順番に重ねておくことが好ましい。組立時は、台座10の低い方から高い方に向かって床部材（ａ）40(a)、床部材（ｂ）40(b)、床部材（ｃ）40(c)の順に架設すると、床部材40は自重で台座10の低い方に移動するため、各床部材40の支持部材20との係合を容易に行うことができる。最後に、ボール排除棒93、回転装置95を配設し、ポール90を立設する。ボール排除棒93は、回転装置95によって組立式ステージ100表面を回転してボール（図示せず）を排除する仕組みである。組立式ステージ100の上部に配備された回転装置95は、地面の形状を損なうことがない。
【００６２】
組立式ステージ100は、少なくとも、前記第１凸部43と第２凸部（ａ）45(a)とを有する床部材（ａ）40(a)と、第１凸部43と第２凸部（ｂ）45(b)とを有する床部材（ｃ）40(c)とを有すればよい。最小の組立式ステージ100は、床部材（ａ）40(a)と床部材（ｃ）40(c)各１枚、および２本の支持部材（ａ）20(a)と１本の支持部材（ｂ）20(b)で構成することができる。組立は、支持部材（ａ）20(a)、支持部材（ｂ）20(b)および支持部材（ａ）20(a)をそれぞれ平行に配置する。その際、連結部材30の取付けで位置決めして台座10を組み立ててもよい。次いで、床部材（ａ）40(a)→床部材（ｃ）40(c)の順に支持部材20に架設し、および係合する。床部材（ｃ）40(c)が固定部材48を有する場合は、固定部材48によって第１係止部23と第１凸部43との係合を固定し、床部材（ｃ）40(c)の長手方向の移動を防止する。なお、組立式ステージ100を長手方向に大型化するには、床部材（ｂ）40(b)および支持部材(ｂ)20(ｂ)の数を増やせばよい。幅方向に大型化するには、連結固定部材28によって支持部材20を連結固定し、床部材40の数を増加させればよい。
【００６３】
図１３では、床部材40として上面に人工芝を積層したものを使用したが、格子状物47の天面に何も積層せずに床部材40をグレーチングに見立てて使用してもよい。その際、用途に応じてビニールシート、毛氈、その他で床部材を被覆してステージとして使用してもよい。その他、本発明の趣旨の範囲内で、細部の構成を適宜、変更することが可能である。
【符号の説明】
【００６４】
１０・・・台座、
２０・・・支持部材、
２０（ａ）・・・第１係止部を有する支持部材、
２０（ｂ）・・・第２係止部を有する支持部材、
２１・・・スジカイ固定部、
２３・・・第１係止部、
２５・・・第２係止部、
２６・・・パイプ状物、
２７・・・ジャッキ機構、
２７’・・・ナットハンドル、
２７ａ・・・回転部材、
２７ｂ・・・角度調節座金、
２８・・・連結固定部材、
２８’・・・ジャッキ機構を挿入するための挿入部、
２８”・・・翼、
２９・・・連結用凸部、
２９’・・・連結用凸部を挿入するための挿入部
３０・・・連設部材、
３１・・・留め部、
３３・・・連結板、
３５・・・ポール差し込み用スタンド、
４０・・・床部材、
４０（ａ）・・・第１凸部と第２凸部（ａ）とを有する床部材、
４０（ｂ）・・・第２凸部（ａ）と第２凸部（ｂ）とを有する床部材、
４０（ｃ）・・・第１凸部と第２凸部（ｂ）とを有する床部材、
４１・・・フラットバー、
４２・・・長ボルト、
４２（ａ）・・・パイプ、
４２（ｂ）・・・ナット、
４３・・・第１凸部、
４３’、４５（ａ）’、４５（ｂ）’・・・固定部、
４５・・・第２凸部、
４５（ａ）・・・第２凸部（ａ）、
４５（ｂ）・・・第２凸部（ｂ）、
４７・・・格子状物、
４８・・・固定部材、
４８（ａ）・・・ハンドル、
４８（ｂ）・・・軸、
４８（ｃ）・・・フック、
９０・・・ポール、
９３・・・ボール排除棒、
９５・・・ボール排除棒回転装置、
１００・・・組立式ステージ、
１１０・・・固定ベース、
１１１・・・基盤、
１１３・・・柱状部、
１１５・・・凸部、
１１７・・・樹脂座金、
１２０・・・伸張パイプ、
１２１・・・パイプ部、
１２３・・・羅条、
１２５・・・蓋部、
１２５’・・・蓋部に設けた貫通孔、
１２７・・・樹脂座金、
１２７’・・・樹脂座金に設けた貫通孔、
１２９・・・ネジ、
１２９’・・・ネジに設けたレンチ用の穴、
１３０・・・六角レンチ、
ｏｈ・・・貫通孔
【図１】
2018131841.tif 000003
【図２】
2018131841.tif 000004
【図３】
2018131841.tif 000005
【図４】
2018131841.tif 000006
【図５】
2018131841.tif 000007
【図６】
2018131841.tif 000008
【図７】
2018131841.tif 000009
【図８】
2018131841.tif 000010
【図９】
2018131841.tif 000011
【図１０】
2018131841.tif 000012
【図１１】
2018131841.tif 000013
【図１２】
2018131841.tif 000014
【図１３】
2018131841.tif 000015